(57)【要約】      （修正有）【課題】硬い材料によって形成された腰ベルトの止め金具が荷や家具など当ってもこれらが傷つくようなことがない腰ベルトを提供する。【解決手段】ベルト本体２の基端２Ａに装着される止め金具３の表面４Ａに弾性材６を設ける。弾性材６は板状であってゴム、エラストマー、発泡合成樹脂或いはスポンジからなる。止め金具３の表面４Ａに、別体な弾性材６からなるカバー本体８を設ける。例えば引越し作業中に作業員が身につけていた腰ベルト１の止め金具３の表面４Ａが荷や家具などに当っても、弾性材６が緩衝材となって荷や家具に傷を付けることを防ぐことができる。【選択図】図１
0003142413.tif 000002
【実用新案登録請求の範囲】
【請求項１】
ベルト本体の一端に装着される止め金具本体の表面に弾性材を設けたことを特徴とする腰ベルト。
【請求項２】
前記弾性材は板状であってゴム、エラストマー、発泡合成樹脂或いはスポンジからなることを特徴とする請求項１記載の腰ベルト。
【請求項３】
止め金具本体の表面を被覆可能なカバー本体の少なくとも表側を弾性材によって形成したことを特徴とする腰ベルトの止め金具用カバー。
【請求項４】
前記カバー本体の裏面に接着層を設けると共に、この接着層の表面に剥離紙を設けたことを特徴とする請求項３記載の腰ベルトの止め金具用カバー。
【請求項５】
前記カバー本体は板状であって、前記弾性材がゴム、エラストマー、発泡合成樹脂或いはスポンジであることを特徴とする請求項３又は４記載の腰ベルトの止め金具用カバー。
【考案の詳細な説明】
【技術分野】
【０００１】
本考案は、腰ベルト及び腰ベルトの止め金具用カバーに関するものである。
【背景技術】
【０００２】
従来、ズボンやスカートなどに利用される腰ベルトのバックルなどと称する止め金具は、ベルト本体の一方の端部に装着され、ベルト本体の他方の端部を所望の長さで固定できるようになっている（例えば、特許文献１、２）。
【特許文献１】実用新案登録第２５２３３２９号公報
【特許文献２】実用新案登録第２５５８４９４号公報
【考案の開示】
【考案が解決しようとする課題】
【０００３】
従来の止め金具は、革などによって形成される長尺なベルト本体を締め付けるようにして固定するため、所定の強度が必要であり、バックルは金属、硬質合成樹脂によって形成されており、そして止め金具の表側は外側にあらわれている。
【０００４】
ところで、引越しなど運搬作業にあっては、荷を胸前において両手で持った状態で運搬することが行われている。このような状態では荷が止め金具に当って荷を止め金具によって傷つけてしまうおそれがあった。また、運搬途中で置いてある家具などに止め金具が当ってしまい、家具などを傷つけてしまうおそれもあった。
【０００５】
解決しようとする問題点は、硬い材料によって形成された止め金具が荷や家具など当ってもこれらが傷つくようなことがないようにする点である。
【課題を解決するための手段】
【０００６】
請求項１の考案は、ベルト本体の一端に装着される止め金具本体の表面に弾性材を設けたことを特徴とする腰ベルトである。
【０００７】
請求項２の考案は、前記弾性材は板状であってゴム、エラストマー、発泡合成樹脂或いはスポンジからなることを特徴とする請求項１記載の腰ベルトである。
【０００８】
請求項３の考案は、止め金具本体の表面を被覆可能なカバー本体の少なくとも表側を弾性材によって形成したことを特徴とする腰ベルトの止め金具用カバーである。
【０００９】
請求項４の考案は、前記カバー本体の裏面に接着層を設けると共に、この接着層の表面に剥離紙を設けたことを特徴とする請求項３記載の腰ベルトの止め金具用カバーである。
【００１０】
請求項５の考案は、前記カバー本体は板状であって、前記弾性材がゴム、エラストマー、発泡合成樹脂或いはスポンジであることを特徴とする請求項３又は４記載の腰ベルトの止め金具用カバーである。
【考案の効果】
【００１１】
請求項１の考案によれば、腰ベルトの止め金具の表面が荷や家具などに当っても、弾性材が緩衝材となる。
【００１２】
請求項２の考案によれば、ゴム、エラストマー、発泡合成樹脂、或いはスポンジにより確実な緩衝作用を奏することができる。
【００１３】
請求項３の考案によれば、止め金具の表面に、別体な弾性材からなるカバー本体を設けて、カバー本体を緩衝材とすることができる。
【００１４】
請求項４の考案によれば、接着層によってカバー本体を簡単に採り付けることができる。
【００１５】
請求項５の考案によれば、ゴム、エラストマー、発泡合成樹脂、或いはスポンジにより確実な緩衝作用を奏することができる。
【考案を実施するための最良の形態】
【００１６】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１７】
図１〜３は実施例１を示しており、腰ベルト１は動物の皮や編み物などからなる可撓性のベルト本体２の基端２Ａにバックルなどと称する止め金具３が接続されており、この止め金具３にベルト本体２の先端２Ｂを通して所望長さで腰を締め付けるように固定できるようになっている。実施例では、止め金具３はベルト本体２の基端２Ａ側に接続されており、先端２Ｂ側を表側板材４と裏側板材５との間に挟んで固定するようになっている。
【００１８】
前記表側板材４の外側にあらわれる表面４Ａにゴム、エラストマー、発泡合成樹脂或いはスポンジのような弾性材６からなるカバー７を装着する。このカバー７は薄い板状であって、表側板材４の表面４Ａのほぼ全面を覆っている。
【００１９】
前記カバー７の取り付けについて説明する。カバー７は止め金具３に後付けされるものであり、ゴム、エラストマー、発泡合成樹脂或いはスポンジのような弾性材６からなる板状のカバー本体８は止め金具３の表面４Ａを覆うことができる程度の大きさを有しており、その内側向きである裏面に接着層９を設けており、この接着層９の裏側表面に剥離紙10が貼り付けられている。
【００２０】
したがって、剥離紙10を取り除いた状態でカバー本体８を、接着層９を介して表側板材４の表面４Ａに貼り付けすることで、弾性材６が表側板材４の表面４Ａのほぼ全面を覆うことができるようになる。尚、止め金具３がカバー本体８に比較して小さい場合にはカバー本体８をハサミやカッター（いずれも図示せす）で小さく切って使用すればよく、また止め金具３がカバー本体８に比較して大きい場合には複数のカバー本体８を貼り付けるようにすればよい。
【００２１】
このように止め金具３の表側に弾性材６からなるカバー７を設けているので、カバー７によって硬い止め金具３の表面４Ａが隠され、カバー７による弾性のある面が外側にあらわれるので、荷を胸前において両手で持ったときに、止め金具３に荷が当ろうとしても、カバー７が緩衝材となって衝撃を和らげ荷の傷つきを防止できる。同様に作業員が移動中に止め金具３が家具等に当っても、カバー７が緩衝材となって家具を傷つけるようなことはない。尚、作業後にはカバー７を剥がして表面４Ａを再びあらわす様にすればよい。
【００２２】
以上のように、前記実施例では請求項１に対応して、ベルト本体２の基端２Ａに装着される止め金具３の表面４Ａに弾性材６を設けたことによって、例えば引越し作業中に作業員が身につけていた腰ベルト１の止め金具３の表面４Ａが荷や家具などに当っても、弾性材６が緩衝材となって荷や家具に傷を付けることを防ぐことができる。
【００２３】
前記実施例では請求項２に対応して、弾性材６は板状であってゴム、エラストマー、発泡合成樹脂或いはスポンジからなることで、止め金の硬質の表面４Ａをゴム、エラストマー、発泡合成樹脂或いはスポンジで覆うことで確実な前記緩衝作用を奏することができる。
【００２４】
前記実施例では請求項３に対応して、止め金具３の表面４Ａを被覆可能なカバー本体８を弾性材６によって形成したことにより、止め金具３の表面４Ａに、別体な弾性材６からなるカバー本体８を設けることで、カバー本体８を止め金具３に取り付けた後に作業を行っても、止め金具３によって荷や家具などを傷つけることはない。
【００２５】
前記実施例では請求項４に対応して、前記カバー本体８の裏面に接着層９を設けると共に、この接着層９の表面に剥離紙10を設けたことで、使用するときには剥離紙10を剥がし接着層９によってカバー本体８を取り付け、一方作業後においてはカバー本体８を剥がすことで、作業時のみ必要に応じて利用することができる。
【００２６】
前記実施例では請求項５に対応してカバー本体８は板状であって、前記弾性材６がゴム、エラストマー、発泡合成樹脂或いはスポンジであることで、止め金の硬質の表面４Ａをゴム、エラストマー、発泡合成樹脂或いはスポンジで覆うことで確実な前記緩衝作用を奏することができる。
【実施例２】
【００２７】
次に他の実施例について説明する。尚、前記実施例１と同一部分には同一符号を付し、その詳細な説明を省略する。図４で示す実施例２においては、止め金３Ａが、バンド本体の基端２Ａに枠部11が設けられると共に、この枠部11を通すベルト本体２の先端２Ｂ側に突き刺すピン12を枠部11に設けた形状のものであって、枠部11のみならずその内側をピン12の先端側を含めて覆うように、カバー７が設けられたものである。
【００２８】
このようにすることで、硬質箇所である枠部11、ピン12の先端側をカバー７で覆うことで、前述と同様に荷や家具を傷つけるようなことはない。
【実施例３】
【００２９】
図５で示す実施例３では、カバー７が弾性材６の裏側に薄い合成樹脂板や紙などの取り付け用基材13が設けられ、この基材13の裏側に接着層９が設けられたものである。尚、取り付け前にあっては接着層９には剥離紙10が設けられている。
【００３０】
したがって、裏側に基材13を設けてカバー本体８の少なくとも表側に弾性材６を設けたことで、上述のように止め金具３で荷や家具を傷つけるようなことはなく、また基材13により弾性材６を平らな状態に形状を保持するようなこともできる。
【産業上の利用可能性】
【００３１】
以上のように本考案にかかる腰ベルト及び腰ベルトの止め金具用カバーは、各種の用途に適用できる。
【図面の簡単な説明】
【００３２】
【図１】本考案の実施例１を示す斜視図である。
【図２】同一部切り欠き斜視図である。
【図３】同断面図である。
【図４】本考案の実施例２を示す分解斜視図である。
【図５】本考案の実施例３を示す断面図である。
【符号の説明】
【００３３】
２  ベルト本体
２Ａ  基端
３  ３Ａ  止め金具
４Ａ  表面
６  弾性材
８  カバー本体
９  接着層
10  剥離紙
【図１】
0003142413.tif 000003
【図２】
0003142413.tif 000004
【図３】
0003142413.tif 000005
【図４】
0003142413.tif 000006
【図５】
0003142413.tif 000007